(57)【要約】【課題】  通信先のスケジュールを考慮した通信コミュニケーションが容易なテレビ電話機能を有するリアルタイム画像表示装置を提供する。【解決手段】  本発明に係る画像表示装置１は、不揮発性メモリ２２に格納された通信先情報を複数の属性毎に区分し、区分された各属性に含まれる通信先情報を各通信先の送信時間に応じて配列することで、属性と送信時間の２軸からなる２次元表示を可能にすることにより、通信先のスケジュールの把握が可能なリスト表示を行う。【選択図】        図６
2007067979.tif 000002
【特許請求の範囲】
【請求項１】
複数の送信部からリアルタイムで送信される情報をネットワークを介して受信する受信部と、
前記受信部で受信した前記情報をリアルタイムで表示する画像表示部と、
前記複数の送信部に関する情報を記憶した記憶部と、
前記記憶部の記憶内容に基づいて前記複数の送信部に関する情報を前記画像表示部に同時に表示させ、前記画像表示部上に表示された前記複数の送信部から１つの送信部を選択したとき、選択された前記１つの送信部からリアルタイムで送信される前記情報を前記画像表示部に表示させる制御部を有することを特徴とするリアルタイム画像表示装置。
【請求項２】
前記記憶部は、前記複数の送信部が送信する前記情報の属性と、前記複数の送信部が前記情報を送信する時間とに基づいて前記情報を分類して記憶し、
前記制御部は、前記情報を前記属性と前記時間とに基づいて２次元的に前記画像表示部に表示することを特徴とする請求項１記載のリアルタイム画像表示装置。
【請求項３】
前記制御部は、前記複数の送信部を前記属性或いは前記時間に基づいて前記画像表示部にスクロール表示することを特徴とする請求項２記載のリアルタイム画像表示装置。
【請求項４】
前記記憶部は、前記複数の送信部が前記情報を送信する前記時間として予め定められた特定の時間と、予め定められた不特定の時間とに基づいて、前記複数の送信部に関する情報を記憶することを特徴とする請求項２記載のリアルタイム画像表示装置。
【請求項５】
前記受信部は、前記複数の送信部が送信する前記情報として、テレビ電話情報、風景画情報、イベント情報、サークル情報等から選択された少なくとも１つ以上の情報を受信することを特徴とする請求項２記載のリアルタイム画像表示装置。
【請求項６】
前記受信部は、前記複数の送信部が送信する前記情報を地上波放送、衛星放送、及びケーブルテレビ放送から選択された少なくとも１つの放送手段を介して受信することを特徴とする請求項２記載のリアルタイム画像表示装置。
【発明の詳細な説明】
【技術分野】
【０００１】
本発明はリアルタイム画像表示装置に関し、特にテレビ電話の通信相手の選択画面において従来と異なる方法による選択画面を表示可能なリアルタイム画像表示装置に関する。
【背景技術】
【０００２】
近年の技術の進歩により、テレビの機能が充実している。初期のテレビでは、当然ビデオ・テープ・レコーダ（ＶＴＲ）などはまだ存在しておらず、放送局も地上波放送に限られていたため、受信可能なチャンネル数も少なく、受信チャンネルの切替えは、ダイヤル式によりなされていた。
【０００３】
その後、ＶＴＲの商品化、衛星（ＢＳ）放送の開始、ケーブルテレビ（ＣＡＴＶ）の発達等により、視聴可能なコンテンツ（チャンネル数）が増加するようになった。
【０００４】
コンテンツの増加や、テレビ本体のデザインの進歩に伴い、受信チャンネルの切替方法は、ダイヤル式からボタン式、更にはリモコンへと変化してきた。更にまた、電子番組表（ＥＰＧ）の採用により、当該ＥＰＧを用いた画面上での選局も可能となった。
【０００５】
また、ホームネットワークにおいて中心的な役割を担う情報家電として、デジタルテレビが注目され、デジタルテレビとインターネットとを利用したサービス機能の一つとして有力視されるものに、テレビ電話機能（リアルタイム映像コミュニケーション機能）が挙げられる。
【０００６】
テレビ電話は、既に専用端末やパーソナルコンピュータ（ＰＣ）上のアプリケーションでは実現されているが、専用端末やＰＣに比べて大画面を有し、臨場感のある映像を表示可能なデジタルテレビの特性を生かすことで、単に相手の顔を見ながら会話をするという従来のテレビ電話の使用方法にとどまらず、幅広い用途が考えられる。
【０００７】
ユーザに対して接続先の情報を提示して接続操作を促すユーザインターフェイスの実現方法を考える場合、従来の方法では専用端末やＰＣの場合を見ても、電話による通信の考え方がベースとなっており、相手を一意に特定するための通信アドレスとユーザが容易に相手を識別できるように通信アドレスに対応して付与された名前との対を１次元にリスト化したＧＵＩ（以下、アドレス帳と呼ぶ）として実現されている（例えば、特許文献１参照）。
【特許文献１】特開２００２−４４５３６号公報
【発明の開示】
【発明が解決しようとする課題】
【０００８】
しかしながら、テレビ電話における接続先リストを、従来の携帯電話のアドレス帳と同程度のものとして構成した場合、名前と通信アドレスからなる情報を１次元に配列したものにすぎず、時間概念が含まれないため、相手先のスケジュールに合わせた接続ガイドを行うことができない。
【０００９】
また、通信コミュニケーションを人対人の会話に限定せず、特定の環境下における映像の受信に使用した場合には、通信先のスケジュールを把握することが更に重要になる。
【００１０】
通信先のスケジュールが不明であると、所望する通信が可能か否かを実際に接続するまでわからないため、無駄足を踏んでしまうこともあり、接続機会を損失することもある。
【００１１】
したがって本発明は、通信先のスケジュールを考慮した通信コミュニケーションが容易なテレビ電話機能を有するリアルタイム画像表示装置を提供することを目的とする。
【課題を解決するための手段】
【００１２】
本発明は、上記目的を達成するため、複数の送信部からリアルタイムで送信される情報をネットワークを介して受信する受信部と、前記受信部で受信した前記情報をリアルタイムで表示する画像表示部と、前記複数の送信部に関する情報を記憶した記憶部と、前記記憶部の記憶内容に基づいて前記複数の送信部に関する情報を前記画像表示部に同時に表示させ、前記画像表示部上に表示された前記複数の送信部から１つの送信部を選択したとき、選択された前記１つの送信部からリアルタイムで送信される前記情報を前記画像表示部に表示させる制御部を有することを特徴とするリアルタイム画像表示装置を提供する。
【００１３】
上記記憶部は、前記複数の送信部が送信する前記情報の属性と、前記複数の送信部が前記情報を送信する時間とに基づいて前記情報を分類して記憶し、前記制御部は、前記情報を前記属性と前記時間とに基づいて２次元的に前記画像表示部に表示することが望ましい。
【００１４】
また、上記制御部は、前記複数の送信部を前記属性或いは前記時間に基づいて前記画像表示部にスクロール表示するものであってもよい。
【００１５】
また、上記記憶部は、前記複数の送信部が前記情報を送信する前記時間として予め定められた特定の時間と、予め定められた不特定の時間とに基づいて、前記複数の送信部に関する情報を記憶するものであってもよい。
【００１６】
更に、上記受信部は、前記複数の送信部が送信する前記情報として、テレビ電話情報、風景画情報、イベント情報、サークル情報等から選択された少なくとも１つ以上の情報を受信するものであってもよく、前記複数の送信部が送信する前記情報を地上波放送、衛星放送、及びケーブルテレビ放送から選択された少なくとも１つの放送手段を介して受信するものであってもよい。
【発明の効果】
【００１７】
本発明によれば、テレビ電話における接続先について、接続先のスケジュールを考慮した通信コミュニケーションが可能となる。
【発明を実施するための最良の形態】
【００１８】
以下、図面を参照しながら本発明の実施の形態について説明する。
【００１９】
（システムの構成）
図１は、本発明に係る画像表示装置１の、ネットワーク２を介在した通信環境を示す概観図である。画像表示装置１は、後述するようにテレビ電話機能を兼ね備えたテレビ受像機であり、ネットワーク２と接続されることにより、同種の画像表示装置や、テレビ電話機能を備えるＰＣ３（３ａ，３ｂ）、特定の映像を撮影する固定カメラ４による映像を配信する配信サーバ４１等との間で通信が行われる。
【００２０】
図２は、本発明に係る画像表示装置１及び周辺機器の設置状況を表す外観図である。画像表示装置１には、テレビ放送電波を受信するためのアンテナ５と、テレビ電話として使用する際の音声を受信するマイク７と、テレビ電話として使用する際の画像を撮影するカメラ８と、ネットワーク２と接続するための通信回線端末９とが接続されている。また、画像表示装置１には、リモコン受光部２４が設けられており、リモコン６により各種操作が可能である。
【００２１】
視聴する番組や、テレビ電話の接続先等の選択はユーザがリモコン４を操作することによりなされる。リモコン４には、図示しない選択スイッチや十字キーなどが設けられており、ユーザはこれらを操作して、所望するコンテンツの選択を行う。
【００２２】
例えば選択スイッチ毎に接続先チャンネルが設定されていれば、選択スイッチを押動することでそのチャンネルが表示される。また、ＥＰＧ等の表示がされている場合には、十字キーを操作して、カーソルを所望のチャンネルに合わせることで、そのチャンネルが表示される。
【００２３】
なお、図１においては、アンテナ２は地上波放送を受信するためのアンテナとして描かれているが、本発明はこれに限定されずＢＳ放送を受信するものであってもよい。また、ケーブルテレビ等を受信するよう構成されるものであってもよく、この場合には、アンテナ２の代わりにＣＡＴＶ端子に接続されることとなる。
【００２４】
通信回線３は、放送局側のサーバにアクセスするためのものであり、電話線や光回線、ＬＡＮ等の通信手段に特に制限はない。
【００２５】
（画像表示装置１の内部構成）
図３は、本発明に係る画像表示装置の構成を示すブロック図である。
【００２６】
図３において、画像表示装置１は、チューナ１１、復調部１２、信号処理部１３、音声処理部１４、スピーカ１５、グラフィック処理部１６、映像処理部１７、映像表示部１８、制御部１９、ＲＯＭ（Read Only Memory）２０、ＲＡＭ（Random Access Memory）２１、不揮発性メモリ２２、操作部２３、受光部２４、通信インターフェイス（Ｉ／Ｆ）２５、外部入力Ｉ／Ｆ２６から構成されている。
【００２７】
また、画像表示装置１は、その外部に設けられたアンテナ５、ネットワーク２、マイク７、カメラ８と接続されている。
【００２８】
チューナ１１は、画像表示装置１の外部に設けられたアンテナ５を介して、受信可能な複数のテレビ放送信号から所望する１のテレビ放送信号を選択受信する。
【００２９】
復調部１２は、チューナ１１の選択受信したテレビ放送信号の映像信号及び音声信号への復調を行う。復調された各信号は信号処理部１３へと送られる。
【００３０】
信号処理部１３は、復調部１２で復調された映像信号および音声信号に対して所定の信号処理を行い、音声処理部１４及びグラフィック処理部１６へと供給する。
【００３１】
音声処理部１４は、信号処理部より供給されたデジタル音声信号の処理を行い、スピーカ１５で再生可能なフォーマットのアナログ音声信号へと変換する。
【００３２】
スピーカ１５は、音声処理部１４よりアナログ音声信号を受信し、これを基に音声を発生する。
【００３３】
グラフィック処理部１６は、信号処理部１３から供給されたデジタル映像信号のグラフィック処理を行う。また、映像処理部１７は、グラフィック処理部１６で処理された映像信号を画像表示部１８で表示可能な信号に変換する。
【００３４】
画像表示部１８は、映像処理部１７より映像信号を受信し、これを元に映像を再生して表示するものであり、ＣＲＴやＬＣＤなどのディスプレイが該当する。
【００３５】
制御部１９は、ＲＯＭ２０等に格納されたプログラムに従い、画像表示装置１の各構成部に対して制御信号を供給することにより、画像表示装置１全体を制御する。具体的にはＣＰＵ（中央演算装置）等が該当する。
【００３６】
ＲＯＭ２０は、制御部１９の実行するプログラムや、当該プログラムに必要な情報等を格納する。
【００３７】
ＲＡＭ２１は、制御部１９がプログラムを実行する際に用いられるパラメータ等を一時的に格納する。
【００３８】
不揮発性メモリ２２は、登録された通信先情報等の、画像表示装置１がこれまでに取得した情報であって電源が切断された後も保存すべき情報を格納する。ＨＤＤやフラッシュメモリ等が該当する。
【００３９】
操作部２３は、制御に必要な入力などの操作をユーザが行うためのものである。操作スイッチや、キーボード、マウスなどが該当する。
【００４０】
受光部２４は、リモコン６からの信号を受信するものであり、受信した信号の示す指示内容を制御部１９へ通知する。リモコン６からの信号は赤外線信号によるが、赤外線以外の通信手段を用いてもよい。
【００４１】
通信Ｉ／Ｆ２５は、外部に位置するネットワーク２との間で情報の送受信を行う。
【００４２】
外部入力Ｉ／Ｆ２６は、画像表示装置１の外部に接続されたマイク７からの音声信号や、カメラ８からの画像信号を受信すると共に、マイク７やカメラ８への制御信号の送信を行う。
【００４３】
（画像表示装置による通信例）
本発明に係る画像表示装置１をテレビ電話として使用した際の通信例を、図４及び図５を用いて説明する。
【００４４】
図４は、他の画像表示装置との間で通話を行う場合の通信例を示す図である。
【００４５】
図４において、２つの画像表示装置１ａ及び１ｂが、ネットワーク２を介して接続されている。これにより、画像表示装置１ａを使用するユーザ１０ａと、画像表示装置１ｂを使用するユーザ１０ｂとが、テレビ電話にて会話をすることができる。
【００４６】
ユーザ１０ａが画像表示装置１ａの前に位置すると、カメラ６ａがユーザ１０ａの姿を撮影し、ネットワーク２を介して画像表示装置１ｂの映像表示部１８ｂに表示される。同様にユーザ１０ｂの姿はカメラ６ｂによって撮影され、画像表示装置１ａの映像表示部１８ａに表示される。
【００４７】
また、ユーザ１０ｂが声を発すると、マイク７ｂがその声を拾い、ネットワークを介して画像表示装置１ａのスピーカ１５ａから発せられる。ユーザ１０ａの声も同様にスピーカ１５ｂより発せられる。
【００４８】
このようにして、ユーザ１０ａ及び１０ｂは、互いにテレビ電話によって相手の画像を見ながら会話を行うことができる。
【００４９】
図５は、ネットワークに接続された固定カメラによる画像を画像表示装１に表示させた場合の通信例を示す図である。
【００５０】
図５において、画像表示装置１と固定カメラ４が、ネットワーク２を介して接続されている。これにより、画像表示装置１を使用するユーザ１０は、固定カメラ４の撮影する画像を、テレビ電話システムにより画像表示装置１にて鑑賞することができる。
【００５１】
例えば、固定カメラ４が富士山近郊のとある地点に設置され、富士山を撮影していたとする。ユーザ１０がテレビ電話の通話先としてこの固定カメラ４を選択すると、固定カメラ４の撮影する富士山の映像がリアルタイムで画像表示装置１に表示される。
【００５２】
このようにして、ユーザ１０は、自宅に居ながらにして、テレビ電話システムによって所望の場所の風景を鑑賞することができるのである。
【００５３】
固定カメラ４の設置先としては、上述したような富士山等の観光地に限らず、ライブハウスなどのイベント会場等も可能である。
【００５４】
次に、本発明に係る画像表示装置における通話先リストの表示例を、図６から図９を参照しつつ説明する。
【００５５】
携帯電話や固定電話など、従来の電話装置であって記憶機能を有するものについては、複数の通話先の登録が可能である。通話先を登録しておくことにより、当該通話先への通話の際に相手先の電話番号を１つ１つダイヤルしなくても接続されるので、相手先の電話番号を覚えておいたり、確認したりしなくても済み、また時間も短縮される。しかし、このような登録された通話先のリストについては、グループ編集や並べ替えは可能であるが、基本的には単なる一覧表に過ぎなかった。
【００５６】
図６は、本発明に係る画像表示装置において、リアルタイム映像コミュニケーションを行う際の、接続先（対話相手や受信するライブ映像コンテンツ等）の選択及び接続操作をガイドするＧＵＩの表示例である。
【００５７】
映像表示部１８に映し出される接続ＧＵＩには、横方向に複数のチャネル１０１が配列されている。チャネル１０１は、接続先の属性が同様のもの同士からなるグループである。
【００５８】
各チャネルには、チャネル番号１０２と、内包する各接続先共通の属性を表す名称１０３及びサムネイル画像１０４が表示されており、各チャネルの属性の識別が容易となっている。
【００５９】
また、接続ＧＵＩの縦軸は、基本的には時間軸とすることにより、接続ＧＵＩはＥＰＧのような２次元の表示がなされる。画面左側には、対応する時間を示すタイムスケール表示１０５が表示される。
【００６０】
各チャネルの縦軸方向には、複数の接続先１０６が並ぶが、コミュニケーションやライブ配信映像の時間帯が決まっているものは、その映像配信時刻に合わせて、タイムスケール表示１０５に対応する位置に、ＥＰＧにおける番組枠のような形でコミュニケーションやライブ映像コンテンツ等の内容を示すタイトルと共に表示される。
【００６１】
ライブ映像の時間帯が特に決まっていない（時間の概念が伴わない）接続先１０６については、例えば、登録日付順、アクセスランキング順、学習機能によるユーザの利用頻度順等、所定のルールで接続先が並び、また、ソートのルールはユーザがカスタマイズすることも可能である。また、このような時間の概念が伴わないチャネルが選択されているときには、縦軸のタイムスケール表示１０５は表示されない（図９参照）。
【００６２】
図６に示される表示例においては、幾つかの代表的なコンテンツ例からなるチャンネルとして、６つのチャンネル１０１が表示されている。以下、それらのチャンネル例について説明する。
【００６３】
１つ目のチャンネル例として、例えば、タレントなどの著名人の会話や行動を固定カメラで撮影し、配信するといった、限りなくテレビ番組に近いコンテンツが考えられる。ある特定の場所に固定カメラを設定し、そのカメラにより映し出されるタレントの映像を、配信する。
【００６４】
図６における一番左のチャンネル１０１ａは、このような形のコンテンツであって、更に、登場するタレントをアイドルに限定して構成されたチャンネルである。図６では、９時からの１時間と１０時からの１時間について、コンテンツ配信が設定されている。この時間に受信チャンネルを指定すると、それらのコンテンツ映像を受信することができる。なお、全てのコンテンツについて同一の固定カメラで撮影される必要はなく、コンテンツ毎に配信元が異なるものであってよい。
【００６５】
２つ目のチャンネル例として、ある特定の風景を２４時間撮影し続け、それをリアルタイムで配信するというコンテンツが考えられる。例えば、観光地や歓楽街に定点カメラを設置し、生中継を行うものである。
【００６６】
図６における２番目のチャンネル１０１ｂは、様々な地点から富士山の風景を撮影した映像を配信するコンテンツのみを集めたチャンネルである。直接訪れることのできない場所の風景を鑑賞したり、出かける前にその場所の天気や人出の確認を行うといった用途が考えられる。なお、このチャンネルの場合は、時間の概念を伴わないチャンネルであり、現在の時間に関係なく、設定された映像のいずれも選択可能である。
【００６７】
３つ目のチャンネル例として、ある特定の場所におけるイベントを撮影して配信するというコンテンツが考えられる。例えば、ホール、ライブハウス、イベント会場などからの中継である。
【００６８】
図６における３番目のチャンネル１０１ｃは、特定のライブハウスに固定カメラを設置し、そこで行われるライブの様子を中継するものであり、登場するアーティスト毎に別のコンテンツを構成する。ライブハウスにおける実際の公演スケジュールに併せて番組表は構成されており、ユーザは、リアルタイムで当該ライブハウスにおける公演を鑑賞することができる。このチャンネル１０１ｃは、配信元が１ヶ所に限られるといった点で、チャンネル１０１ａと異なる。
【００６９】
以上の３つのチャンネルは、全てコンテンツ映像を配信するチャンネルであり、主として場所という属性でまとめられている。また、これらのチャンネルには、同時に複数のユーザが接続可能であり、双方向通信はされず、配信元からの一方通行の通信となる。一方、以下のチャンネルは、実際に対話を行うチャンネルであり、人という属性でまとめられている。
【００７０】
４つ目のチャンネル例として、特定の人物と対話するためのチャンネルであって、予め対話の日時が指定されているものが考えられる。頻繁にテレビ電話にて対話を行う人物について独立したチャンネルを設け、更に、その対話予定を画像表示装置１に設定することにより、その設定時間に合わせて、コンテンツとして表示される。
【００７１】
図６における４番目のチャンネル１０１は、ユーザが事前に知り合いとテレビ電話で対話する予定を立てた際に、その予定が組み込まれるチャンネルである。１１時に対話予定が設定されることにより、その時間の位置に、接続先１０６が表示されることになる。
【００７２】
５つ目のチャンネル例として、特定の人物と対話するためのチャンネルであって、特定の日時ではなく、対話可能時間のみを設定するものが考えられる。対話相手の生活パターン等により、テレビ電話による対話をするために先方の画像表示装置１の前に位置することが可能な時間が限られている場合に、予め対話可能時間を設定することにより、対話が不可能な時間帯に誤って電話をかけることが防止できる。
【００７３】
なお、このような設定においては、タイマー設定を同時に行うことができる。タイマー設定により、設定時間が訪れた際に自動的に回線接続を行うので、予定通りの通信コミュニケーションが可能となる。
【００７４】
図６における５つ目のチャンネル１０１ｅは、属性が「おばあちゃん」であり、ユーザの祖母が毎晩１１時には就寝してしまうことが判っている場合などには、就寝時間帯を対話可能時間から除外することで、その時間帯には接続先１０６が表示されなくなる。
【００７５】
４つ目のチャンネル１０１ｄと５つ目のチャンネル１０１ｅとの違いは、前者が特定の日時を個別に設定するものであるのに対し、後者は、日に関係なく、毎日特定の時間を設定する点にある。
【００７６】
６つ目のチャンネル例として、共通する属性からなる仲間をまとめたチャンネルが考えられる。一般的な電話帳リストにおけるグループ分けと同様であり、この場合も時間という概念を伴わないチャンネルである。
【００７７】
図６における６番目のチャンネル１０１ｆは、例えばサークル仲間という属性でまとめられたグループからなるチャンネルであって、その属性でまとめられる対話先が一覧表として表示される。
【００７８】
図６に示されたチャンネル表示は、画像表示装置１に設定された全てのチャンネルを表示しているものではなく、その一部が表示されているに過ぎない。また、表示される時間帯も数時間に限られ、１日中の表示はできない。したがって、表示されていないチャンネルや時間帯の接続先を表示するためには、スクロールさせる必要がある。
【００７９】
図７は、上下方向へのスクロールを行い、図６における表示よりも後ろの時間帯の接続先を表示させた場合の表示例である。なお、カーソルの移動や画面スクロールの操作は、リモコン４に搭載された十字キー等をユーザが操作することにより行われる。
【００８０】
図６の表示から、カーソル１０７を下方向へ移動させると、図６の状態では表示されていなかった時間帯の接続先が表示される。そのとき、他のチャンネルについても、タイムスケール表示１０５の時間に合わせて、各接続先が表示されることになるが、チャンネル１０１ｂや１０１ｆのような時間概念の存在しないチャンネルについては、タイムスケール表示１０５のスクロールには影響されず、したがって表示内容は変化しない。
【００８１】
図８は、時間概念のないチャンネルにおいて上下方向へスクロールした場合の表示例である。
【００８２】
図８に示すように時間概念のないチャンネルであるチャンネル１０１ｂへカーソル１０７を移動すると、タイムスケール表示１０５が表示されなくなる。その状態で下方向へスクロールした場合、他のチャンネルの表示は変化せず、チャンネル１０１ｂのみがスクロール表示される。そして、図６に示す画面上には表示しきれていなかった他の接続先が、順次表示されていくことになる。
【００８３】
図９は、左右方向へのスクロールを行い、図６における表示では表示されなかったチャンネルを表示させた場合の表示例である。
【００８４】
図６の表示から、カーソル１０７を１番右のチャンネル１０１ｆへ移動し、更に右方向へ移動させると、図６の状態では表示されていなかったチャンネル１０１ｇが表示される。１度に表示されるチャンネル数は変わらないので、１つのチャンネルが新たに表示されたことにより、一番左に表示されていたチャンネル１０１ａは表示されなくなる。更に右方向へスクロールさせるにつれ、表示されていない新たなチャンネルが表示されることになるが、全てのチャンネルが表示された後は、また、チャンネル１０１ａから順に表示されることになる。
【００８５】
以上のような表示を行うことにより、テレビ電話の接続先毎のスケジュールが一見して把握できるので、相手先のスケジュール等の都合を考慮した、適切な通信コミュニケーションを図ることが可能となる。
【００８６】
図１０は、画像表示装置１におけるチャンネル表示の他の表示例である。画像表示装置１においては、図６等に示す２次元表示に限らず、一覧表形式での表示も可能である。
【００８７】
図１０においては、複数のチャンネルのチャンネル番号１０２、サムネイル画像１０４、チャンネル名１０３からなる表示が上下に並んで表示されている。ユーザは、このリストから自分の接続しようとする接続先の含まれるチャンネルを選択することができる。１つのチャンネルが選択されると、更に各接続先について表示された詳細リストが表示され、ユーザは１の接続先を選択することができる。
【００８８】
また、接続先についてタイマー設定を行うことにより、予定時間が訪れることで自動的に回線接続を行うことができるので、相手先との通信コミュニケーションを確実に行うことができる。
【００８９】
図１０においても、全てのチャンネルを表示することはできないため、表示しきれなかったチャンネルを表示するためには、画面のスクロールを行うことができる。
【図面の簡単な説明】
【００９０】
【図１】本発明に係る画像表示装置１の、ネットワーク２を介在した通信環境を示す概観図である。
【図２】本発明に係る画像表示装置１及び周辺機器の設置状況を表す概観図である。
【図３】本発明に係る画像表示装置の構成を示すブロック図である。
【図４】他の画像表示装置との間で通話を行う場合の通信例を示す図である。
【図５】ネットワークに接続された固定カメラによる画像を画像表示装１に表示させた場合の通信例を示す図である。
【図６】本発明に係る画像表示装置において、リアルタイム映像コミュニケーションを行う際の、接続先の選択及び接続操作をガイドするＧＵＩの表示例である。
【図７】上下方向へのスクロールを行い、図６における表示よりも後ろの時間帯の接続先を表示させた場合の表示例である。
【図８】時間概念のないチャンネルにおいて上下方向へスクロールした場合の表示例である。
【図９】左右方向へのスクロールを行い、図６における表示では表示されなかったチャンネルを表示させた場合の表示例である。
【図１０】画像表示装置１におけるチャンネル表示の他の表示例である。
【符号の説明】
【００９１】
１、画像表示装置  ２、ネットワーク  ３、ＰＣ  ４、固定カメラ  ５、アンテナ
６、リモコン  ７、マイク  ８、カメラ  ９、ネットワーク端末  １１、チューナ
１２、復調部  １３、信号処理部  １４、音声処理部  １５、スピーカ
１６、グラフィック処理部  １７、映像処理部  １８、映像表示部  １９、制御部
２０、ＲＯＭ  ２１、ＲＡＭ  ２２、不揮発性メモリ  ２３、操作部  ２４、受光部
２５、通信Ｉ／Ｆ  ２６、外部入力Ｉ／Ｆ  ４１、配信サーバ  １０１、チャンネル
１０２、チャンネル番号  １０３、名称  １０４、サムネイル画像
１０５、タイムスケジュール表示  １０６、接続先  １０７、カーソル
１０８、選択先詳細表示
【図１】
2007067979.tif 000003
【図２】
2007067979.tif 000004
【図３】
2007067979.tif 000005
【図４】
2007067979.tif 000006
【図５】
2007067979.tif 000007
【図６】
2007067979.tif 000008
【図７】
2007067979.tif 000009
【図８】
2007067979.tif 000010
【図９】
2007067979.tif 000011
【図１０】
2007067979.tif 000012